(57)【要約】      （修正有）【課題】体幹バランスが悪い要介護者が食事等のためにベッドに腰掛けた着座姿勢を保持することができ、使い勝手が良く、取り扱いに優れた介護用座椅子を提供する。【解決手段】底部に、左右の両側枠１ａと後枠からなるコの字状の枠１を形成する。後枠から立ち上がる背当て６を設け、側枠１ａの上方に肘掛け４を設ける。尻当てを設けず、不使用時には閉じられて枠１に沿い、使用時に略９０度回転させて外方向へ開く支持片２を、両側枠１ａと後枠に設ける。【選択図】図３
0003158819.tif 000002
【実用新案登録請求の範囲】
【請求項１】
要介護者の着座姿勢を保持するための介護用座椅子であって、
座面に当接するコの字状の枠１、両肘掛け４、背当て６を設け、尻当てを設けず、不使用時には閉じられて枠１に沿い、使用時に略９０度回転させて外方向へ開く支持片２を、両側枠１ａと後枠１ｂに設けたことを特徴とする介護用座椅子。
【考案の詳細な説明】
【技術分野】
【０００１】
この考案は、高齢者や身障者等の要介護者が着座姿勢を保持するために使用する介護用座椅子に関するものである。
【背景技術】
【０００２】
要介護認定の高齢者や半身麻痺の身障者等で体幹バランスが悪い要介護者は、食事等のためにベッドの側端に腰掛けた場合に姿勢の保持が困難である。座卓やこたつで使用する一般的な座椅子は、着座姿勢を保持する機能が無く、姿勢が崩れがちな要介護者には不適である。そのため、要介護者がベッドに腰掛ける場合に使用する座椅子として、特開２００７−３１２号公報（特許文献１）、特開２００８−１８８２７１号公報（特許文献２）等が提案されている。
【先行技術文献】
【特許文献】
【０００３】
【特許文献１】特開２００７−３１２号公報
【特許文献２】特開２００８−１８８２７１号公報
【考案の概要】
【考案が解決しようとする課題】
【０００４】
特許文献１に記載の座椅子は、座椅子自体の容量（体積）で要介護者の姿勢を保持するため、サイズが大きなものとなり、使用時にはベッドフレームの金具に固定しなければならず、使い勝手や取り扱いが不便である。特許文献２に記載の座椅子は、介護用ベッドと組み合わせて使用するもので、汎用性に乏しく、製作コストも高価である。
【０００５】
この考案は、これらの課題を解決することを目的とするもので、体幹バランスが悪い要介護者が食事等のためにベッドに腰掛けた着座姿勢を保持することができ、ベッドに固定する必要が無くて使い勝手が良く、座卓やこたつの座椅子としても使用することができ、取り扱いに優れた介護用座椅子を提案することを目的とするものである。
【課題を解決するための手段】
【０００６】
上記の目的を達成するため、この考案は、要介護者の着座姿勢を保持するための介護用座椅子であって、座面に当接するコの字状の枠１、両肘掛け４、背当て６を設け、尻当てを設けず、不使用時には閉じられて枠１に沿い、使用時に略９０度回転させて外方向へ開く支持片２を、両側枠１ａと後枠１ｂに設けたことを特徴とするものである。
【考案の効果】
【０００７】
この考案の介護用座椅子は、要介護者が食事等のためにベッドに腰掛ける場合、介護用座椅子をベッドに乗せて要介護者に当てがい、支持片２を略９０度回転させて外方向へ開いて使用する。この状態で、支持片２に支持されて介護用座椅子の揺れや移動が防止され、要介護者の上半身が両肘掛け４及び背当て６で保持され、姿勢が崩れがちな要介護者の着座姿勢を保持することができる。
【０００８】
また、この考案の介護用座椅子は、尻当てを設けていないので要介護者を尻当てに乗せる必要が無く、使用時に支持片２を開く操作だけでベッドに固定する必要も無く、使い勝手が極めて良い。また、不使用時には支持片２は閉じられて枠１に沿うので、床に置いても従来の座椅子と同じスペースを要するだけで、ベッドに腰掛ける場合の用途の他、支持片２を開いて座卓やこたつの座椅子としても要介護者が使用可能であり、取り扱いに優れるものである。
【０００９】
また、この考案の介護用座椅子は、構成が簡単で製作が容易であるから製作コストが安価であり、要介護者を家庭で介護する場合の他、介護施設での複数台の導入も少ない負担で可能である等の経済的効果を有するものである。
【図面の簡単な説明】
【００１０】
【図１】図面はこの考案の実施例で、斜め前方から見た斜視図。
【図２】斜め後方から見た斜視図。
【図３】支持片を開いた状態の斜め前方から見た斜視図。
【図４】支持片を開いた状態の斜め後方から見た斜視図。
【考案を実施するための形態】
【００１１】
以下にこの考案の実施形態について、図面を用いて具体的に説明する。
図面はこの考案の実施例で、要介護認定の高齢者や半身麻痺の身障者等で体幹バランスが悪い要介護者が、食事等のためにベッドに腰掛けた場合にその着座姿勢を保持するために使用する介護用座椅子である。図に示すように、この介護用座椅子は、座面に当接するコの字状の枠１、両肘掛け４、背当て６が設けられ、一般の座椅子とは異って尻当ては設けられていない。両肘掛け４にはパッド５が巻かれ、背当て６にはクッション７が貼られ、要介護者の上半身が当接する部位に緩衝材が配されている。
【００１２】
枠１には丁番３で複数の支持片２が回転自在に取り付けられている。この支持片２は、枠１の左右の両側枠１ａに各１本、後枠１ｂに２本設けられ、図１及び２に示すように、要介護者が使用しない場合には閉じられていて、枠１に沿っている。
【００１３】
次に、この介護用座椅子の使用方法について説明する。要介護者が食事等のためにベッドに腰掛ける場合、介護用座椅子をベッドに乗せて要介護者に当てがい、図３及び４に示すように、４本の支持片２を略９０度回転させて外方向へ開いて使用する。テーブルを要介護者の前に設置して食事を配膳すれば、姿勢が崩れがちな要介護者の着座姿勢が保持され、容易に食事をとることができる。
【００１４】
食事が済んだ後、４本の支持片２を閉じて介護用座椅子をベッドから降ろす。支持片２の内側面先端とこれに当接する枠１の部位に、雌雄一対の面ファスナー８が貼られていて、支持片２を閉じた状態が保持される。枠１及び支持片２の底面の任意の部位には滑り止め材が貼られていて、滑りやすい床や畳で使用する場合に介護用座椅子の滑りが防止されている。
【００１５】
以上、実施例について説明したが、この考案の介護用座椅子の構成及び使用形態はこれに限定されるものではない。枠１の形状は、隅部にＲを取ってＵ字状としてもよく、素材は木製の他、中空樹脂材を用いて軽量化を図ってもよい。また、両肘掛け４の他、要介護者の身体が触れる可能性がある部位、例えば側枠１ａの内側等にもパッドを貼ったり、これらの部位の表面を軟質材で形成すれば、より安全性を高めることができる。要介護者が前方へ姿勢が崩れることを防止するため、両肘掛け４の先端にベルトや紐を橋渡すように構成してもよい。さらに、一般の座椅子と同じく、背当て６を折り畳み式とすれば、持ち運びや収納も便利である。
【符号の説明】
【００１６】
１  枠
１ａ  側枠
１ｂ  後枠
４  肘掛け
６  背当て
【図１】
0003158819.tif 000003
【図２】
0003158819.tif 000004
【図３】
0003158819.tif 000005
【図４】
0003158819.tif 000006
【手続補正書】
【提出日】平成22年2月24日(2010.2.24)
【手続補正１】
【補正対象書類名】明細書
【補正対象項目名】０００６
【補正方法】変更
【補正の内容】
【０００６】
上記の目的を達成するため、この考案は、要介護者の着座姿勢を保持するための介護用座椅子であって、左右の両側枠１ａと後枠１ｂから成るコの字状の枠１を座面に当接する底部に形成し、後枠１ｂから立ち上がる背当て６を設け、側枠１ａに対して所定高さに位置する左右の両肘掛け４を設け、尻当てを設けず、不使用時には閉じられて枠１に沿い、使用時に略９０度回転させて外方向へ開く支持片２を、両側枠１ａと後枠１ｂに設けたことを特徴とするものである。
【手続補正２】
【補正対象書類名】実用新案登録請求の範囲
【補正対象項目名】請求項１
【補正方法】変更
【補正の内容】
【請求項１】
要介護者の着座姿勢を保持するための介護用座椅子であって、
左右の両側枠１ａと後枠１ｂから成るコの字状の枠１を座面に当接する底部に形成し、後枠１ｂから立ち上がる背当て６を設け、側枠１ａに対して所定高さに位置する左右の両肘掛け４を設け、尻当てを設けず、不使用時には閉じられて枠１に沿い、使用時に略９０度回転させて外方向へ開く支持片２を、両側枠１ａと後枠１ｂに設けたことを特徴とする介護用座椅子。